(57)【特許請求の範囲】
【請求項１】
パイプ外殻を含み、前記パイプ外殻の上下両端は他のパイプに連結されることができ、前記パイプ外殻の中には上パイプが上方に開口するように設置され、前記上パイプの下端には下パイプが連通するように設置され、前記上パイプの左端と前記下パイプの左端との間には予備パイプが連通するように設置され、
前記上パイプの左側内壁の中には動力制御チャンバが設置され、前記動力制御チャンバの中には動力制御機構が設置され、前記上パイプの中にはゴミ監視機構が設置され、前記ゴミ監視機構の左端と前記動力制御機構とが連結され、
前記動力制御チャンバの左壁の中には伝動チャンバが設置され、前記伝動チャンバの中には伝動機構が設置され、前記伝動機構と前記動力制御機構とが噛み合うように連結され、前記伝動チャンバの左壁の中にはパイプ伝動チャンバが設置され、前記パイプ伝動チャンバの中にはパイプ伝動機構が設置され、前記伝動機構と前記パイプ伝動機構とが固定的に連結され、前記パイプ伝動チャンバの右壁の中にはパイプ制御チャンバが上下対称的に設置され、前記パイプ制御チャンバの中にはパイプ制御機構が設置され、前記パイプ伝動機構と前記パイプ制御機構とが固定的に連結され、
前記伝動チャンバの頂壁の中にはクリーニングチャンバが設置され、前記クリーニングチャンバの中にはクリーニング機構が設置され、前記クリーニング機構と前記伝動機構とが固定的に連結され、前記伝動機構は前記クリーニング機構を駆動でき、
前記上パイプの右壁面にはパイプ固定ブロックが固定的に設置され、前記パイプ固定ブロックの左端には伸縮できるパイプばねが固定的に設置され、前記パイプ固定ブロックの下端にはパイプ上板が設置され、前記パイプ上板は定位棒状体によって前記上パイプの右壁の中にヒンジで連結され、前記パイプ上板の左端と前記パイプばねとが固定的に連結されており、
前記ゴミ監視機構は前記上パイプの中にスライドできるように設置されたろ過板を含み、前記ろ過板の左端と前記動力制御機構とが固定的に連結され、前記ろ過板の下端面にはろ過板ばねが左右対称的に、且つ固定的に設置され、前記ろ過板ばねの下端にはばね固定ブロックが固定的に設置され、前記ばね固定ブロックの底端が前記上パイプの左右内壁に固定的に設置され、前記ろ過板の上端面の中には阻隔ブロックが固定的に設置され、前記阻隔ブロックの上端にはスイッチが接触できるように設置され、前記スイッチの中には導線が固定的に設置され、前記導線の左端と前記動力制御機構とが連結されており、
前記動力制御機構は前記動力制御チャンバの頂壁の中に固定的に設置されたメインモーターを含み、前記メインモーターの表面には防水膜が包まれており、前記メインモーターの下端にはメイン駆動軸が動力が伝達できるように連結され、前記メイン駆動軸の外壁には中空軸が上下にスライドできるように設置され、前記中空軸はスプラインによって前記メイン駆動軸の外壁に連結され、前記中空軸の下端には第一駆動ギヤが固定的に設置され、前記動力制御チャンバの中にはスライドできるスライド軸が設置され、前記スライド軸の右端が前記ろ過板に固定的に連結され、前記スライド軸が前記中空軸と回転できるように連結され、
前記動力制御チャンバの下壁の中には回転できるサブ駆動軸が設置され、前記サブ駆動軸の上端には第二駆動ギヤが固定的に設置され、前記第二駆動ギヤは前記第一駆動ギヤと噛み合うことができ、前記サブ駆動軸の下端と前記伝動機構とが固定的に連結されており、
前記伝動機構は前記伝動チャンバの左壁の中に回転できるように設置された第一伝動軸を含み、前記第一伝動軸の右端には第一伝動ベベルギヤが固定的に設置され、前記サブ駆動軸の下端には第二伝動ベベルギヤが固定的に設置され、前記第二伝動ベベルギヤが前記伝動チャンバの中に位置しており、前記第二伝動ベベルギヤが前記第一伝動ベベルギヤと噛み合っており、
前記第一伝動軸には第一プーリが固定的に設置され、前記第一プーリには第一ベルトが連結され、前記第一ベルトの上端には第二プーリが連結され、前記伝動チャンバの左側壁には第二伝動軸が設置され、前記第二プーリが前記第二伝動軸に固定的に連結され、前記第二伝動軸の右端には第三伝動ベベルギヤが固定的に設置され、前記第二伝動軸の左端と前記パイプ伝動機構とが固定的に連結されており、
前記クリーニング機構は前記クリーニングチャンバの中に回転できるように設置されたクリーニングチャンバ伝動軸を含み、前記クリーニングチャンバ伝動軸の下端が前記第四伝動ベベルギヤに固定的に連結され、前記クリーニングチャンバ伝動軸の上端には第一クリーニングチャンバベベルギヤが固定的に設置され、前記第一クリーニングチャンバベベルギヤの後端には第二クリーニングチャンバベベルギヤが噛み合うように連結され、前記第二クリーニングチャンバベベルギヤの軸心にはクリーニングチャンバ定位軸が固定的に設置され、前記クリーニングチャンバ定位軸が前記クリーニングチャンバの前後両壁の中に回転できるように設置され、
前記クリーニングチャンバ定位軸にはクリーニング制御ギヤが固定的に設置され、前記クリーニング制御ギヤが前記第二クリーニングチャンバベベルギヤの後端に位置しており、前記クリーニング制御ギヤの上端にはクリーニングラックが噛み合うように連結され、前記クリーニングラックの右端にはクリーニング板が固定的に設置されており、
前記パイプ伝動機構は前記パイプ伝動チャンバの中に回転できるように設置された大プーリを含み、前記大プーリが前記第二伝動軸の外壁面に固定的に設置され、前記大プーリには中央ベルトが連結され、前記パイプ伝動チャンバの中には回転できる第三伝動軸が上下対称的に設置され、前記第三伝動軸の右端と前記パイプ制御機構とが固定的に連結され、前記第三伝動軸には小プーリが固定的に設置され、前記小プーリと前記中央ベルトとが連結されており、
前記パイプ制御機構は前記パイプ制御チャンバの中に回転できるように設置された上板伝動軸を含み、前記上板伝動軸には第一上板ベベルギヤが固定的に設置され、前記第一上板ベベルギヤの左端には第二上板ベベルギヤが噛み合うように連結され、前記第一上板ベベルギヤが前記第二上板ベベルギヤの上端に位置しており、前記第二上板ベベルギヤの左端が前記第三伝動軸に固定的に連結され、
前記上板伝動軸のうち前記動力制御チャンバから離れている一端には第三上板ベベルギヤが固定的に設置され、前記第三上板ベベルギヤの後端には第四上板ベベルギヤが噛み合うように連結され、前記第四上板ベベルギヤの軸心には上板駆動軸が固定的に設置され、前記上板駆動軸が前記パイプ制御チャンバの前後内壁に回転できるように設置され、
前記上板駆動軸には上板制御ギヤが固定的に設置され、前記上板制御ギヤが前記第四上板ベベルギヤの後端に位置しており、前記上板制御ギヤの右端には上板ギヤが噛み合うように連結され、前記上板ギヤの軸心には上板定位軸が固定的に設置され、前記上板定位軸が前記パイプ制御チャンバの前後内壁に回転できるように設置され、
前記上板定位軸には上板が固定的に設置され、前記上板が前記上板ギヤの後端に位置していることを特徴とする塞ぎ防止の下水パイプ。
【発明の詳細な説明】
【技術分野】
【０００１】
本発明は排水分野に関わり、具体的には塞ぎ防止の下水パイプである。
【背景技術】
【０００２】
下水パイプの塞ぎ問題は多数の人を困らせ、伝統的な下水パイプが塞ぎ止められた時、排出することは困難となることで室内の管路も問題が出、それと同時に下水パイプをさらえて流れをよくするのは、専門な人に頼む必要があり、塞ぎ問題が発生すると専門な人を待って応急修理をし、従って、すぐに管路を修復できなく、さらに管路の塞ぎ問題によってもたらされた損失が広がり、そのため、下水パイプの中のゴミが積むことで塞がれなく、また自身がクリーニング機能を持つ下水パイプをデザインする必要がある。
【先行技術文献】
【特許文献】
【０００３】
【特許文献１】中国特許出願公開第１０２４６５５５１号明細書
【発明の概要】
【発明が解決しようとする課題】
【０００４】
技術上の問題：
下水パイプが塞ぎ止められた時、水を排出することは困難となることで室内の管路も問題ができ、またその問題は応急修理をする専門な人を待ってしか解決しかできない。
【課題を解決するための手段】
【０００５】
上記の問題を解決するために、本発明の実施例は塞ぎ防止の下水パイプをデザインした。本発明の実施例の塞ぎ防止の下水パイプは、パイプ外殻を含み、前記パイプ外殻の上下両端は他のパイプに連結されることができ、前記パイプ外殻の中には上パイプが上方に開口するように設置され、前記上パイプの下端には下パイプが連通するように設置され、前記上パイプの左端と前記下パイプの左端との間には予備パイプが連通するように設置され、前記上パイプは塞ぎ問題が発生した時、下水パイプの中の水は前記予備パイプを通って前記下パイプに流れ、前記上パイプの左側内壁の中には動力制御チャンバが設置され、前記動力制御チャンバの中には動力制御機構が設置され、前記動力制御機構は装置全体に動力を提供することができ、前記上パイプの中にはゴミ監視機構が設置され、前記ゴミ監視機構の左端と前記動力制御機構とが連結され、前記ゴミ監視機構は前記上パイプの中のゴミの重量を測ることができ、ゴミの重量は一定の値に達した後に前記動力制御機構を作動させることができ、前記動力制御チャンバの左壁の中には伝動チャンバが設置され、前記伝動チャンバの中には伝動機構が設置され、前記伝動機構と前記動力制御機構とが噛み合うように連結され、前記動力制御機構は前記伝動機構を駆動でき、前記伝動チャンバの左壁の中にはパイプ伝動チャンバが設置され、前記パイプ伝動チャンバの中にはパイプ伝動機構が設置され、前記伝動機構と前記パイプ伝動機構とが固定的に連結され、前記伝動機構はさらに前記動力制御機構の動力を前記パイプ伝動機構に伝達でき、前記パイプ伝動チャンバの右壁の中にはパイプ制御チャンバが上下対称的に設置され、前記パイプ制御チャンバの中にはパイプ制御機構が設置され、前記パイプ伝動機構と前記パイプ制御機構とが固定的に連結され、さらに前記パイプ伝動機構によって動力を前記パイプ制御機構に伝達でき、前記上パイプが塞がれた時、前記パイプ制御機構は前記上パイプを閉鎖でき、さらに前記上パイプ及び前記下パイプに前記予備パイプを連通させ、汚水は前記上パイプの中から、前記予備パイプを通って前記下パイプに流れることができ、下水パイプの塞ぎを防止し、前記伝動チャンバの頂壁の中にはクリーニングチャンバが設置され、前記クリーニングチャンバの中にはクリーニング機構が設置され、前記クリーニング機構と前記伝動機構とが固定的に連結され、前記伝動機構は前記クリーニング機構を駆動でき、前記上パイプが塞がれた時、前記クリーニング機構は前記上パイプの中のゴミをクリーニング排出し、前記上パイプの右壁面にはパイプ固定ブロックが固定的に設置され、前記パイプ固定ブロックの左端には伸縮できるパイプばねが固定的に設置され、前記パイプ固定ブロックの下端にはパイプ上板が設置され、前記パイプ上板は定位棒状体によって前記上パイプの右壁の中にヒンジで連結され、前記パイプ上板の左端と前記パイプばねとが固定的に連結され、前記クリーニング機構はゴミを右方に押し動かしてスライドさせると、ゴミは前記パイプ上板を開けることができ、さらにゴミは前記上パイプの中から落ち、前記クリーニング機構が復帰した時、前記パイプ上板は前記パイプばねの弾力作用の下で速やかに復帰し、さらに前記上パイプを再び閉鎖する。
【０００６】
前記ゴミ監視機構は前記上パイプの中にスライドできるように設置されたろ過板を含み、前記ろ過板の左端と前記動力制御機構とが固定的に連結され、前記ろ過板の下端面にはろ過板ばねが左右対称的に、且つ固定的に設置され、前記ろ過板ばねの下端にはばね固定ブロックが固定的に設置され、前記ばね固定ブロックの底端が前記上パイプの左右内壁に固定的に設置され、前記ろ過板の上端面の中には阻隔ブロックが固定的に設置され、前記阻隔ブロックの上端にはスイッチが接触できるように設置され、前記スイッチの中には導線が固定的に設置され、前記導線の左端と前記動力制御機構とが連結され、ゴミが前記ろ過板に一定の程度に積み上げられた時、前記ろ過板が前記ろ過板ばねを圧縮し、前記ろ過板を下方にスライドさせ、さらに前記阻隔ブロックと前記スイッチとが分離し、前記スイッチは前記導線によって前記動力制御機構を作動させる。
【０００７】
前記動力制御機構は前記動力制御チャンバの頂壁の中に固定的に設置されたメインモーターを含み、前記メインモーターの表面には防水膜が包まれており、前記メインモーターは漏電することが発生しないのを保障し、前記メインモーターの下端にはメイン駆動軸が動力が伝達できるように連結され、前記メイン駆動軸の外壁には中空軸が上下にスライドできるように設置され、前記中空軸はスプラインによって前記メイン駆動軸の外壁に連結され、前記中空軸の下端には第一駆動ギヤが固定的に設置され、前記動力制御チャンバの中にはスライドできるスライド軸が設置され、前記スライド軸の右端が前記ろ過板に固定的に連結され、前記スライド軸が前記中空軸とが回転できるように連結され、前記動力制御チャンバの下壁の中には回転できるサブ駆動軸が設置され、前記サブ駆動軸の上端には第二駆動ギヤが固定的に設置され、前記第二駆動ギヤは前記第一駆動ギヤと噛み合うことができ、前記サブ駆動軸の下端と前記伝動機構とが固定的に連結され、前記ろ過板が下方にスライドすると、前記スイッチが前記導線によって前記メインモーターを始動し、前記メインモーターが前記メイン駆動軸と、前記中空軸と、前記第一駆動ギヤとを一緒に回転連動させ、前記ろ過板は同時に前記スライド軸を下方にスライド連動させ、前記スライド軸が前記中空軸を下方にスライド連動させ、さらに前記第一駆動ギヤが前記第二駆動ギヤと噛み合い、前記第一駆動ギヤが前記第二駆動ギヤによって前記サブ駆動軸を回転連動させ、前記サブ駆動軸がさらに動力を前記伝動機構に伝達する。
【０００８】
前記伝動機構は前記伝動チャンバの左壁の中に回転できるように設置された第一伝動軸を含み、前記第一伝動軸の右端には第一伝動ベベルギヤが固定的に設置され、前記サブ駆動軸の下端には第二伝動ベベルギヤが固定的に設置され、前記第二伝動ベベルギヤが前記伝動チャンバの中に位置しており、前記第二伝動ベベルギヤが前記第一伝動ベベルギヤと噛み合っており、前記第一伝動軸には第一プーリが固定的に設置され、前記第一プーリには第一ベルトが連結され、前記第一ベルトの上端には第二プーリが連結され、前記伝動チャンバの左側壁には第二伝動軸が設置され、前記第二プーリが前記第二伝動軸に固定的に連結され、前記第二伝動軸の右端には第三伝動ベベルギヤが固定的に設置され、前記第二伝動軸の左端と前記パイプ伝動機構とが固定的に連結され、さらに前記第二伝動ベベルギヤによって前記第一伝動ベベルギヤを回転連動させ、前記第一伝動ベベルギヤが前記第一伝動軸を回転連動させ、前記第一伝動軸が前記第一プーリと、前記第一ベルトと、前記第二プーリとによって前記第二伝動軸を回転連動させ、前記第二伝動軸がさらに前記パイプ伝動機構を駆動し、前記第三伝動ベベルギヤの右端には第四伝動ベベルギヤが噛み合うように連結され、前記第四伝動ベベルギヤの上端と前記クリーニング機構とが固定的に連結され、さらに前記第二伝動軸によって前記第三伝動ベベルギヤを回転連動させ、前記第三伝動ベベルギヤが前記第四伝動ベベルギヤを回転連動させ、前記第四伝動ベベルギヤが前記クリーニング機構を駆動できる。
【０００９】
前記クリーニング機構は前記クリーニングチャンバの中に回転できるように設置されたクリーニングチャンバ伝動軸を含み、前記クリーニングチャンバ伝動軸の下端が前記第四伝動ベベルギヤに固定的に連結され、前記クリーニングチャンバ伝動軸の上端には第一クリーニングチャンバベベルギヤが固定的に設置され、前記第一クリーニングチャンバベベルギヤの後端には第二クリーニングチャンバベベルギヤが噛み合うように連結され、前記第二クリーニングチャンバベベルギヤの軸心にはクリーニングチャンバ定位軸が固定的に設置され、前記クリーニングチャンバ定位軸が前記クリーニングチャンバの前後両壁の中に回転できるように設置され、前記クリーニングチャンバ定位軸にはクリーニング制御ギヤが固定的に設置され、前記クリーニング制御ギヤが前記第二クリーニングチャンバベベルギヤの後端に位置しており、前記クリーニング制御ギヤの上端にはクリーニングラックが噛み合うように連結され、前記クリーニングラックの右端にはクリーニング板が固定的に設置され、前記第四伝動ベベルギヤによって前記クリーニングチャンバ伝動軸を回転連動させ、前記クリーニングチャンバ伝動軸は前記第一クリーニングチャンバベベルギヤと前記第二クリーニングチャンバベベルギヤとによって前記クリーニングチャンバ定位軸を回転連動させ、前記クリーニングチャンバ定位軸は前記クリーニング制御ギヤによって前記クリーニングラックを右方にスライド連動させ、前記クリーニングラックが前記クリーニング板を右方にスライド連動させ、さらに前記クリーニング板はスライドすることによって前記上パイプの中に積み上げられたゴミを前記上パイプから押し出すことができる。
【００１０】
前記パイプ伝動機構は前記パイプ伝動チャンバの中に回転できるように設置された大プーリを含み、前記大プーリが前記第二伝動軸の外壁面に固定的に設置され、前記大プーリには中央ベルトが連結され、前記パイプ伝動チャンバの中には回転できる第三伝動軸が上下対称的に設置され、前記第三伝動軸の右端と前記パイプ制御機構とが固定的に連結され、前記第三伝動軸には小プーリが固定的に設置され、前記小プーリと前記中央ベルトとが連結され、さらに前記第二伝動軸が前記大プーリを回転連動させると、前記大プーリが前記中央ベルトと前記小プーリとによって前記第三伝動軸を回転連動させ、さらに前記第三伝動軸が前記パイプ制御機構を駆動できる。
【００１１】
前記パイプ制御機構は前記パイプ制御チャンバの中に回転できるように設置された上板伝動軸を含み、前記上板伝動軸には第一上板ベベルギヤが固定的に設置され、前記第一上板ベベルギヤの左端には第二上板ベベルギヤが噛み合うように連結され、前記第一上板ベベルギヤが前記第二上板ベベルギヤの上端に位置しており、前記第二上板ベベルギヤの左端が前記第三伝動軸に固定的に連結され、前記上板伝動軸のうち前記動力制御チャンバから離れている一端には第三上板ベベルギヤが固定的に設置され、前記第三上板ベベルギヤの後端には第四上板ベベルギヤが噛み合うように連結され、前記第四上板ベベルギヤの軸心には上板駆動軸が固定的に設置され、前記上板駆動軸が前記パイプ制御チャンバの前後内壁に回転できるように設置され、前記上板駆動軸には上板制御ギヤが固定的に設置され、前記上板制御ギヤが前記第四上板ベベルギヤの後端に位置しており、前記上板制御ギヤの右端には上板ギヤが噛み合うように連結され、前記上板ギヤの軸心には上板定位軸が固定的に設置され、前記上板定位軸が前記パイプ制御チャンバの前後内壁に回転できるように設置され、前記上板定位軸には上板が固定的に設置され、前記上板が前記上板ギヤの後端に位置しており、前記第三伝動軸が前記第二上板ベベルギヤと前記第一上板ベベルギヤとによって前記上板伝動軸を回転連動させると、前記上板伝動軸が前記第三上板ベベルギヤと前記第四上板ベベルギヤとによって前記上板駆動軸を回転連動させ、前記上板駆動軸が前記上板制御ギヤと前記上板ギヤとによって前記上板定位軸を回転連動させ、前記上板定位軸が前記上板を反転連動させることができ、前記上板が前記上パイプを閉鎖し、それと同時に前記予備パイプを開けることができ、さらにパイプをクリーニングする時、下水パイプの水は前記予備パイプを通って前記下パイプに流れることができる。
【発明の効果】
【００１２】
本発明の有益な効果は：本発明は構成が簡単で、メンテナンスと使用が便利であり、本装置の下水パイプの流れが持続的に滞りなくて通じることを保ち、下水パイプの中に積み重なったゴミで塞がれ、それによって浚う機能を失うことがしなく、またパイプ自身がクリーニング機構を持ち、人によって決まった時間にクリーニングする必要はなく、それによって清掃スタッフの仕事の負担を大いに軽減できる。
【図面の簡単な説明】
【００１３】
説明しやすいために、本発明を下記の具体的な実施例及び附図をもって詳しく説明する。下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の塞ぎ防止の下水パイプの全体構成概略図
【図２】図２は図１の「Ａ」の構成の拡大概略図
【図３】図３は図１の「Ｂ」の構成の拡大概略図
【発明を実施するための形態】
【００１５】
本発明は塞ぎ防止の下水パイプに関わり、主には排水分野に応用され、下記に本発明の附図を合わせて本発明にさらなる説明を行う。
【００１６】
本発明に記載の塞ぎ防止の下水パイプは、パイプ外殻１１を含み、前記パイプ外殻１１の上下両端は他のパイプに連結されることができ、前記パイプ外殻１１の中には上パイプ１２が上方に開口するように設置され、前記上パイプ１２の下端には下パイプ６９が連通するように設置され、前記上パイプ１２の左端と前記下パイプ６９の左端との間には予備パイプ６８が連通するように設置され、前記上パイプ１２は塞ぎ問題が発生した時、下水パイプの中の水は前記予備パイプ６８を通って前記下パイプ６９に流れ、前記上パイプ１２の左側内壁の中には動力制御チャンバ１００が設置され、前記動力制御チャンバ１００の中には動力制御機構１０１が設置され、前記動力制御機構１０１は装置全体に動力を提供することができ、前記上パイプ１２の中にはゴミ監視機構６０１が設置され、前記ゴミ監視機構６０１の左端と前記動力制御機構１０１とが連結され、前記ゴミ監視機構６０１は前記上パイプ１２の中のゴミの重量を測ることができ、ゴミの重量は一定の値に達した後に前記動力制御機構１０１を作動させることができ、前記動力制御チャンバ１００の左壁の中には伝動チャンバ２００が設置され、前記伝動チャンバ２００の中には伝動機構２０１が設置され、前記伝動機構２０１と前記動力制御機構１０１とが噛み合うように連結され、前記動力制御機構１０１は前記伝動機構２０１を駆動でき、前記伝動チャンバ２００の左壁の中にはパイプ伝動チャンバ３００が設置され、前記パイプ伝動チャンバ３００の中にはパイプ伝動機構３０１が設置され、前記伝動機構２０１と前記パイプ伝動機構３０１とが固定的に連結され、前記伝動機構２０１はさらに前記動力制御機構１０１の動力を前記パイプ伝動機構３０１に伝達でき、前記パイプ伝動チャンバ３００の右壁の中にはパイプ制御チャンバ５００が上下対称的に設置され、前記パイプ制御チャンバ５００の中にはパイプ制御機構５０１が設置され、前記パイプ伝動機構３０１と前記パイプ制御機構５０１とが固定的に連結され、さらに前記パイプ伝動機構３０１によって動力を前記パイプ制御機構５０１に伝達でき、前記上パイプ１２が塞がれた時、前記パイプ制御機構５０１は前記上パイプ１２を閉鎖でき、さらに前記上パイプ１２及び前記下パイプ６９に前記予備パイプ６８を連通させ、汚水は前記上パイプ１２の中から、前記予備パイプ６８を通って前記下パイプ６９に流れることができ、下水パイプの塞ぎを防止し、前記伝動チャンバ２００の頂壁の中にはクリーニングチャンバ４００が設置され、前記クリーニングチャンバ４００の中にはクリーニング機構４０１が設置され、前記クリーニング機構４０１と前記伝動機構２０１とが固定的に連結され、前記伝動機構２０１は前記クリーニング機構４０１を駆動でき、前記上パイプ１２が塞がれた時、前記クリーニング機構４０１は前記上パイプ１２の中のゴミをクリーニング排出し、前記上パイプ１２の右壁面にはパイプ固定ブロック１３が固定的に設置され、前記パイプ固定ブロック１３の左端には伸縮できるパイプばね１５が固定的に設置され、前記パイプ固定ブロック１３の下端にはパイプ上板１６が設置され、前記パイプ上板１６は定位棒状体１４によって前記上パイプ１２の右壁の中にヒンジで連結され、前記パイプ上板１６の左端と前記パイプばね１５とが固定的に連結され、前記クリーニング機構４０１はゴミを右方に押し動かしてスライドさせると、ゴミは前記パイプ上板１６を開けることができ、さらにゴミは前記上パイプ１２の中から落ち、前記クリーニング機構４０１が復帰した時、前記パイプ上板１６は前記パイプばね１５の弾力作用の下で速やかに復帰し、さらに前記上パイプ１２を再び閉鎖する。
【００１７】
実施例によって、下記に前記ゴミ監視機構６０１について詳しく説明し、前記ゴミ監視機構６０１は前記上パイプ１２の中にスライドできるように設置されたろ過板６４を含み、前記ろ過板６４の左端と前記動力制御機構１０１とが固定的に連結され、前記ろ過板６４の下端面にはろ過板ばね５３が左右対称的に、且つ固定的に設置され、前記ろ過板ばね５３の下端にはばね固定ブロック５４が固定的に設置され、前記ばね固定ブロック５４の底端が前記上パイプ１２の左右内壁に固定的に設置され、前記ろ過板６４の上端面の中には阻隔ブロック６７が固定的に設置され、前記阻隔ブロック６７の上端にはスイッチ６６が接触できるように設置され、前記スイッチ６６の中には導線６５が固定的に設置され、前記導線６５の左端と前記動力制御機構１０１とが連結され、ゴミが前記ろ過板６４に一定の程度に積み上げられた時、前記ろ過板６４が前記ろ過板ばね５３を圧縮し、前記ろ過板６４を下方にスライドさせ、さらに前記阻隔ブロック６７と前記スイッチ６６とが分離し、前記スイッチ６６は前記導線６５によって前記動力制御機構１０１を作動させる。
【００１８】
実施例によって、下記に前記動力制御機構１０１について詳しく説明し、前記動力制御機構１０１は前記動力制御チャンバ１００の頂壁の中に固定的に設置されたメインモーター５５を含み、前記メインモーター５５の表面には防水膜が包まれており、前記メインモーター５５は漏電することが発生しないのを保障し、前記メインモーター５５の下端にはメイン駆動軸５６が動力が伝達できるように連結され、前記メイン駆動軸５６の外壁には中空軸５７が上下にスライドできるように設置され、前記中空軸５７はスプラインによって前記メイン駆動軸５６の外壁に連結され、前記中空軸５７の下端には第一駆動ギヤ６１が固定的に設置され、前記動力制御チャンバ１００の中にはスライドできるスライド軸５９が設置され、前記スライド軸５９の右端が前記ろ過板６４に固定的に連結され、前記スライド軸５９が前記中空軸５７とが回転できるように連結され、前記動力制御チャンバ１００の下壁の中には回転できるサブ駆動軸６３が設置され、前記サブ駆動軸６３の上端には第二駆動ギヤ６２が固定的に設置され、前記第二駆動ギヤ６２は前記第一駆動ギヤ６１と噛み合うことができ、前記サブ駆動軸６３の下端と前記伝動機構２０１とが固定的に連結され、前記ろ過板６４が下方にスライドすると、前記スイッチ６６が前記導線６５によって前記メインモーター５５を始動し、前記メインモーター５５が前記メイン駆動軸５６と、前記中空軸５７と、前記第一駆動ギヤ６１とを一緒に回転連動させ、前記ろ過板６４は同時に前記スライド軸５９を下方にスライド連動させ、前記スライド軸５９が前記中空軸５７を下方にスライド連動させ、さらに前記第一駆動ギヤ６１が前記第二駆動ギヤ６２と噛み合い、前記第一駆動ギヤ６１が前記第二駆動ギヤ６２によって前記サブ駆動軸６３を回転連動させ、前記サブ駆動軸６３がさらに動力を前記伝動機構２０１に伝達する。
【００１９】
実施例によって、下記に前記伝動機構２０１について詳しく説明し、前記伝動機構２０１は前記伝動チャンバ２００の左壁の中に回転できるように設置された第一伝動軸４８を含み、前記第一伝動軸４８の右端には第一伝動ベベルギヤ４７が固定的に設置され、前記サブ駆動軸６３の下端には第二伝動ベベルギヤ４６が固定的に設置され、前記第二伝動ベベルギヤ４６が前記伝動チャンバ２００の中に位置しており、前記第二伝動ベベルギヤ４６が前記第一伝動ベベルギヤ４７と噛み合っており、前記第一伝動軸４８には第一プーリ４９が固定的に設置され、前記第一プーリ４９には第一ベルト４５が連結され、前記第一ベルト４５の上端には第二プーリ４３が連結され、前記伝動チャンバ２００の左側壁には第二伝動軸４２が設置され、前記第二プーリ４３が前記第二伝動軸４２に固定的に連結され、前記第二伝動軸４２の右端には第三伝動ベベルギヤ４４が固定的に設置され、前記第二伝動軸４２の左端と前記パイプ伝動機構３０１とが固定的に連結され、さらに前記第二伝動ベベルギヤ４６によって前記第一伝動ベベルギヤ４７を回転連動させ、前記第一伝動ベベルギヤ４７が前記第一伝動軸４８を回転連動させ、前記第一伝動軸４８が前記第一プーリ４９と、前記第一ベルト４５と、前記第二プーリ４３とによって前記第二伝動軸４２を回転連動させ、前記第二伝動軸４２がさらに前記パイプ伝動機構３０１を駆動し、前記第三伝動ベベルギヤ４４の右端には第四伝動ベベルギヤ３９が噛み合うように連結され、前記第四伝動ベベルギヤ３９の上端と前記クリーニング機構４０１とが固定的に連結され、さらに前記第二伝動軸４２によって前記第三伝動ベベルギヤ４４を回転連動させ、前記第三伝動ベベルギヤ４４が前記第四伝動ベベルギヤ３９を回転連動させ、前記第四伝動ベベルギヤ３９が前記クリーニング機構４０１を駆動できる。
【００２０】
実施例によって、下記に前記クリーニング機構４０１について詳しく説明し、前記クリーニング機構４０１は前記クリーニングチャンバ４００の中に回転できるように設置されたクリーニングチャンバ伝動軸３８を含み、前記クリーニングチャンバ伝動軸３８の下端が前記第四伝動ベベルギヤ３９に固定的に連結され、前記クリーニングチャンバ伝動軸３８の上端には第一クリーニングチャンバベベルギヤ３７が固定的に設置され、前記第一クリーニングチャンバベベルギヤ３７の後端には第二クリーニングチャンバベベルギヤ３５が噛み合うように連結され、前記第二クリーニングチャンバベベルギヤ３５の軸心にはクリーニングチャンバ定位軸３６が固定的に設置され、前記クリーニングチャンバ定位軸３６が前記クリーニングチャンバ４００の前後両壁の中に回転できるように設置され、前記クリーニングチャンバ定位軸３６にはクリーニング制御ギヤ３４が固定的に設置され、前記クリーニング制御ギヤ３４が前記第二クリーニングチャンバベベルギヤ３５の後端に位置しており、前記クリーニング制御ギヤ３４の上端にはクリーニングラック３３が噛み合うように連結され、前記クリーニングラック３３の右端にはクリーニング板３２が固定的に設置され、前記第四伝動ベベルギヤ３９によって前記クリーニングチャンバ伝動軸３８を回転連動させ、前記クリーニングチャンバ伝動軸３８は前記第一クリーニングチャンバベベルギヤ３７と前記第二クリーニングチャンバベベルギヤ３５とによって前記クリーニングチャンバ定位軸３６を回転連動させ、前記クリーニングチャンバ定位軸３６は前記クリーニング制御ギヤ３４によって前記クリーニングラック３３を右方にスライド連動させ、前記クリーニングラック３３が前記クリーニング板３２を右方にスライド連動させ、さらに前記クリーニング板３２はスライドすることによって前記上パイプ１２の中に積み上げられたゴミを前記上パイプ１２から押し出すことができる。
【００２１】
実施例によって、下記に前記パイプ伝動機構３０１について詳しく説明し、前記パイプ伝動機構３０１は前記パイプ伝動チャンバ３００の中に回転できるように設置された大プーリ４１を含み、前記大プーリ４１が前記第二伝動軸４２の外壁面に固定的に設置され、前記大プーリ４１には中央ベルト３１が連結され、前記パイプ伝動チャンバ３００の中には回転できる第三伝動軸２８が上下対称的に設置され、前記第三伝動軸２８の右端と前記パイプ制御機構５０１とが固定的に連結され、前記第三伝動軸２８には小プーリ２９が固定的に設置され、前記小プーリ２９と前記中央ベルト３１とが連結され、さらに前記第二伝動軸４２が前記大プーリ４１を回転連動させると、前記大プーリ４１が前記中央ベルト３１と前記小プーリ２９とによって前記第三伝動軸２８を回転連動させ、さらに前記第三伝動軸２８が前記パイプ制御機構５０１を駆動できる。
【００２２】
実施例によって、下記に前記パイプ制御機構５０１について詳しく説明し、前記パイプ制御機構５０１は前記パイプ制御チャンバ５００の中に回転できるように設置された上板伝動軸２６を含み、前記上板伝動軸２６には第一上板ベベルギヤ２７が固定的に設置され、前記第一上板ベベルギヤ２７の左端には第二上板ベベルギヤ２５が噛み合うように連結され、前記第一上板ベベルギヤ２７が前記第二上板ベベルギヤ２５の上端に位置しており、前記第二上板ベベルギヤ２５の左端が前記第三伝動軸２８に固定的に連結され、前記上板伝動軸２６のうち前記動力制御チャンバ１００から離れている一端には第三上板ベベルギヤ２３が固定的に設置され、前記第三上板ベベルギヤ２３の後端には第四上板ベベルギヤ２２が噛み合うように連結され、前記第四上板ベベルギヤ２２の軸心には上板駆動軸２１が固定的に設置され、前記上板駆動軸２１が前記パイプ制御チャンバ５００の前後内壁に回転できるように設置され、前記上板駆動軸２１には上板制御ギヤ２４が固定的に設置され、前記上板制御ギヤ２４が前記第四上板ベベルギヤ２２の後端に位置しており、前記上板制御ギヤ２４の右端には上板ギヤ１８が噛み合うように連結され、前記上板ギヤ１８の軸心には上板定位軸１９が固定的に設置され、前記上板定位軸１９が前記パイプ制御チャンバ５００の前後内壁に回転できるように設置され、前記上板定位軸１９には上板１７が固定的に設置され、前記上板１７が前記上板ギヤ１８の後端に位置しており、前記第三伝動軸２８が前記第二上板ベベルギヤ２５と前記第一上板ベベルギヤ２７とによって前記上板伝動軸２６を回転連動させると、前記上板伝動軸２６が前記第三上板ベベルギヤ２３と前記第四上板ベベルギヤ２２とによって前記上板駆動軸２１を回転連動させ、前記上板駆動軸２１が前記上板制御ギヤ２４と前記上板ギヤ１８とによって前記上板定位軸１９を回転連動させ、前記上板定位軸１９が前記上板１７を反転連動させることができ、前記上板１７が前記上パイプ１２を閉鎖し、それと同時に前記予備パイプ６８を開けることができ、さらにパイプをクリーニングする時、下水パイプの水は前記予備パイプ６８を通って前記下パイプ６９に流れることができる。
【００２３】
下記に図１〜３を合わせて本発明の塞ぎ防止の下水パイプの使用ステップを詳しく説明する：ゴミがろ過板６４に一定の程度に積み上げられた時、ろ過板６４がろ過板ばね５３を圧縮し、前記ろ過板６４を下方にスライドさせ、さらに阻隔ブロック６７とスイッチ６６とが分離し、スイッチ６６は導線６５によってメインモーター５５を始動し、メインモーター５５がメイン駆動軸５６と、中空軸５７と、第一駆動ギヤ６１とを一緒に回転連動させ、ろ過板６４は同時にスライド軸５９を下方にスライド連動させ、スライド軸５９が中空軸５７を下方にスライド連動させ、さらに第一駆動ギヤ６１が第二駆動ギヤ６２と噛み合い、第一駆動ギヤ６１が第二駆動ギヤ６２によってサブ駆動軸６３を回転連動させ、サブ駆動軸６３が第二伝動ベベルギヤ４６を回転連動させ、第二伝動ベベルギヤ４６が第一伝動ベベルギヤ４７を回転連動させ、第一伝動ベベルギヤ４７が第一伝動軸４８を回転連動させ、第一伝動軸４８が第一プーリ４９と、第一ベルト４５と、第二プーリ４３とによって第二伝動軸４２を回転連動させ、第二伝動軸４２が第三伝動ベベルギヤ４４を回転連動させ、第三伝動ベベルギヤ４４が第四伝動ベベルギヤ３９を回転連動させ、第四伝動ベベルギヤ３９がクリーニングチャンバ伝動軸３８を回転連動させ、クリーニングチャンバ伝動軸３８は第一クリーニングチャンバベベルギヤ３７と第二クリーニングチャンバベベルギヤ３５とによってクリーニングチャンバ定位軸３６を回転連動させ、クリーニングチャンバ定位軸３６はクリーニング制御ギヤ３４によってクリーニングラック３３を右方にスライド連動させ、クリーニングラック３３がクリーニング板３２を上パイプ１２の中で右方にスライド連動させ、クリーニング板３２がさらにゴミを押し動かして右方にスライドさせ、ゴミはパイプ上板１６を開けられ、上パイプ１２の中から落ち、同時に第二伝動軸４２が大プーリ４１を回転連動させ、大プーリ４１が中央ベルト３１と小プーリ２９とによって第三伝動軸２８を回転連動させ、第三伝動軸２８が第二上板ベベルギヤ２５と第一上板ベベルギヤ２７とによって上板伝動軸２６を回転連動させ、上板伝動軸２６が第三上板ベベルギヤ２３と第四上板ベベルギヤ２２とによって上板駆動軸２１を回転連動させ、上板駆動軸２１が上板制御ギヤ２４と上板ギヤ１８とによって上板定位軸１９を回転連動させ、上板定位軸１９が上板１７を反転連動させることができ、上板１７がさらに上パイプ１２を閉鎖し、それと同時に予備パイプ６８を開けることができ、それによってパイプをクリーニングする時、下水パイプの水は予備パイプ６８を通って下パイプ６９に流れることができる。
【００２４】
本発明の有益な効果は：本発明は構成が簡単で、メンテナンスと使用が便利であり、本装置の下水パイプの流れが持続的に滞りなくて通じることを保ち、下水パイプの中に積み重なったゴミで塞がれ、それによって浚う機能を失うことがしなく、またパイプ自身がクリーニング機構を持ち、人によって決まった時間にクリーニングする必要はなく、それによって清掃スタッフの仕事の負担を大いに軽減できる。
【００２５】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【要約】
【課題】本発明は塞ぎ防止の下水パイプを開示した。
【解決手段】
パイプ外殻を含み、前記パイプ外殻の中には動力制御チャンバが設置され、前記動力制御チャンバの中には動力制御機構が設置され、前記動力制御機構は装置全体に動力を提供でき、前記動力制御チャンバの右壁には上パイプが連通するように設置され、前記上パイプの下端には下パイプが連通するように設置され、前記上パイプの左端には予備パイプが連通するように設置され、本発明は構成が簡単で、メンテナンスと使用が便利であり、本装置の下水パイプの流れが持続的に滞りなくて通じることを保ち、下水パイプの中に積み重なったゴミで塞がれ、それによって浚う機能を失うことがしなく、またパイプ自身がクリーニング機構を持ち、人によって決まった時間にクリーニングする必要はなく、それによって清掃スタッフの仕事の負担を大いに軽減できる。
【選択図】図１【図１】
0006826248.tif 000002
【図２】
0006826248.tif 000003
【図３】
0006826248.tif 000004